(57)【要約】【課題】  被検査対象とケーブルのコネクタの劣化を把握し、その劣化による不具合発生を未然に防止できるようにする。【解決手段】  ケーブル接続カウンタ１は、表示部１００、制御部１０１、記憶部１０２、ケーブル信号間のインピーダンス値を測定するインピーダンス測定部１０３、ケーブル接続前状態のインピーダンス値を記憶部１０２に記憶させるセットＳＷ１０４、それら回路の電源となる水銀電池を含む電源１０５、ケーブル接続回数をカウントする電源ケーブル４又はＵＳＢケーブル７を接続するケーブルコネクタ１０６、検査装置２側からの電源ケーブル３又はＵＳＢケーブル６を接続するケーブルコネクタ１０７、その各ケーブルコネクタ１０６と１０７間を中継する中継ケーブル１０８とから構成されている。【選択図】        図３
2007156957.tif 000002
【特許請求の範囲】
【請求項１】
被接続対象と接続するケーブルの信号間のインピーダンスを測定するインピーダンス測定手段と、該インピーダンス測定手段によって測定したインピーダンスが変化したときに前記被接続対象に対する前記ケーブルの接続回数としてカウントするカウント手段とを備えたことを特徴とするカウント装置。
【請求項２】
前記インピーダンスの変化は、前記被接続対象に対する前記ケーブルの未接続時のインピーダンスと接続時のインピーダンスとの差であることを特徴とする請求項１記載のカウント装置。
【請求項３】
前記カウント手段に、前記インピーダンスの測定において積分処理を行って前記ケーブルが前記被接続対象に接続された時の過渡的なインピーダンスの変化では前記被接続対象に対する前記ケーブルの接続回数としてカウントしないようにする手段を設けたことを特徴とする請求項１又は２記載のカウント装置。
【請求項４】
前記インピーダンスの信号電圧を測定する電圧測定手段を有し、前記カウント手段に、前記電圧測定手段によって測定した電圧に基づいて前記被接続対象の電源がオフであることを確認した場合にのみ前記被接続対象に対する前記ケーブルの接続回数としてカウントする手段を設けたことを特徴とする請求項１乃至３のいずれか一項に記載のカウント装置。
【請求項５】
前記接続回数の上限値を表示する手段を設けたことを特徴とする請求項１乃至４のいずれか一項に記載のカウント装置。
【請求項６】
前記カウント手段によってカウントされた接続回数が予め設定した規定値に達したときに警告する警告手段を設けたことを特徴とする請求項１乃至５のいずれか一項に記載のカウント装置。
【請求項７】
請求項１乃至５のいずれか一項に記載のカウント装置と検査装置とからなるカウントシステムであって、
前記カウント装置に、前記カウント手段によってカウントした接続回数を通信線を介して前記検査装置へ送信する通信制御手段を設け、
前記検査装置に、前記通信線を介して前記カウント装置から送信された接続回数を取得して管理する管理手段を設けたことを特徴とするカウントシステム。
【請求項８】
請求項１乃至５のいずれか一項に記載のカウント装置と検査装置とからなるカウントシステムであって、
前記カウント装置に、前記カウント手段によってカウントした接続回数をワイヤレス通信によって前記検査装置へ送信する通信制御手段を設け、
前記検査装置に、前記ワイヤレス通信によって前記カウント装置から送信された接続回数を取得して管理する管理手段を設けたことを特徴とするカウントシステム。
【請求項９】
前記管理手段に、前記カウント装置から送信された接続回数に前記カウント装置の識別情報を対応させて管理する手段を設けたことを特徴とする請求項７又は８記載のカウントシステム。
【発明の詳細な説明】
【技術分野】
【０００１】
この発明は、動作不良の許されない医療系、原子力系の電子機器のケーブル、電子機器の検査装置に使用するケーブル及び治具基板と検査装置との接続回数をカウントするカウント装置と、そのカウント装置と検査装置とからなるカウントシステムとに関する。
【背景技術】
【０００２】
従来、電気的信頼性を維持するために、構造に工夫を加えて電気的信頼性を維持するようにしたコネクタ（例えば、特許文献１，２参照）があった。
しかし、このようなコネクタでは、ある一定の回数を超えると必ず接続の特性が劣化する。
また、検査装置において、基板（Ｐｒｉｎｔ  Ｃｉｒｃｕｉｔｅ  Ｂｏａｄ）やケーブル（「配線接続部」ともいう）を検査装置の一部として使用する場合、一定の接続回数を超えるとコネクタの摩耗や線材の断線等が発生して検査装置が正常動作しなくなることがある。
そういった事を回避する為、製品の検査工程ではケーブルの接続回数を管理して、ある一定の接続回数を超えたらケーブルを交換している。
【特許文献１】特開２００４−１７１９１１号公報
【特許文献２】特開２００４−１２６０１７号公報
【発明の開示】
【発明が解決しようとする課題】
【０００３】
しかしながら、基板やケーブルの被検査対象への接続回数の管理は、何回接続したかをその都度管理用紙等に記述していく必要があり、その作業は人が行う事になり、厳密な管理が難しく、検査台数の多い検査装置では検査中にコネクタが摩耗していて正常動作しなくなるケースが多々あるという問題があった。
また、交換サイクル付近となると摩耗したコンタクトの異物等が付着して検査結果に再現性がなくなるケースもある。
この発明は上記の点に鑑みてなされたものであり、被検査対象とケーブルのコネクタの劣化を把握し、その劣化による不具合発生を未然に防止できるようにすることを目的とする。
【課題を解決するための手段】
【０００４】
この発明は上記の目的を達成するため、次のカウント装置とカウントシステムを提供する。
（１）被接続対象と接続するケーブルの信号間のインピーダンスを測定するインピーダンス測定手段と、そのインピーダンス測定手段によって測定したインピーダンスが変化したときに上記被接続対象に対する上記ケーブルの接続回数としてカウントするカウント手段を備えたカウント装置。
（２）上記（１）のカウント装置において、上記インピーダンスの変化は、上記被接続対象に対する上記ケーブルの未接続時のインピーダンスと接続時のインピーダンスとの差であるカウント装置。
【０００５】
（３）上記（１）又は（２）のカウント装置において、上記カウント手段に、上記インピーダンスの測定において積分処理を行って上記ケーブルが上記被接続対象に接続された時の過渡的なインピーダンスの変化では上記被接続対象に対する上記ケーブルの接続回数としてカウントしないようにする手段を設けたカウント装置。
（４）上記（１）〜（３）のいずれかのカウント装置において、上記インピーダンスの信号電圧を測定する電圧測定手段を有し、上記カウント手段に、上記電圧測定手段によって測定した電圧に基づいて上記被接続対象の電源がオフであることを確認した場合にのみ上記被接続対象に対する上記ケーブルの接続回数としてカウントする手段を設けたカウント装置。
【０００６】
（５）上記（１）〜（４）のいずれかのカウント装置において、上記接続回数の上限値を表示する手段を設けたカウント装置。
（６）上記（１）〜（５）のいずれかのカウント装置において、上記カウント手段によってカウントされた接続回数が予め設定した規定値に達したときに警告する警告手段を設けたカウント装置。
（７）上記（１）〜（５）のいずれかのカウント装置と検査装置とからなるカウントシステムであって、上記カウント装置に、上記カウント手段によってカウントした接続回数を通信線を介して上記検査装置へ送信する通信制御手段を設け、上記検査装置に、上記通信線を介して上記カウント装置から送信された接続回数を取得して管理する管理手段を設けたカウントシステム。
【０００７】
（８）上記（１）〜（５）のいずれかのカウント装置と検査装置とからなるカウントシステムであって、上記カウント装置に、上記カウント手段によってカウントした接続回数をワイヤレス通信によって上記検査装置へ送信する通信制御手段を設け、上記検査装置に、上記ワイヤレス通信によって上記カウント装置から送信された接続回数を取得して管理する管理手段を設けたカウントシステム。
（９）上記（７）又は（８）のいずれかのカウントシステムにおいて、上記管理手段に、上記カウント装置から送信された接続回数に上記カウント装置の識別情報を対応させて管理する手段を設けたカウントシステム。
【発明の効果】
【０００８】
この発明によるカウント装置とカウントシステムは、被検査対象とケーブルのコネクタの劣化を把握し、その劣化による不具合発生を未然に防止することができる。
【発明を実施するための最良の形態】
【０００９】
以下、この発明を実施するための最良の形態を図面に基づいて具体的に説明する。
〔実施例１〕
図１は、この発明の実施例１のケーブル接続カウンタを含むシステム構成を示すブロック図である。
同図には、実施例１のケーブル接続カウンタ１を電源ケーブルの接続カウンタとして用いた場合の構成を示している。
【００１０】
この場合は、ケーブル接続カウンタ１の一方に電源ケーブル３を介して検査装置（「検査機ホスト」ともいう）２のパワーサプライユニット（ＰＳＵ）２ａを接続し、もう一方に電源ケーブル（交換対象の「検査用治具ケーブル」に相当する）４を介して検査装置２によって検査される被接続対象（検査対象）である機器５を接続している。
ＰＳＵ２ａはＡＣ電圧をＤＣに変換して供給するユニットであり、検査装置２は電源ケーブル３，４を介してＰＳＵ２ａの直流電圧を機器５に供給して機器５を検査し、ケーブル接続カウンタ１は、電源ケーブル４の信号間のインピーダンス値を測定し、被接続対象である機器５との接続により発生するインピーダンス値（「インピーダンス特性」ともいう）の変化を検知して接続回数をカウントし、表示部１００に表示する。
【００１１】
図２は、この発明の実施例１のケーブル接続カウンタを含む他のシステム構成を示すブロック図である。
同図には、実施例１のケーブル接続カウンタ１をＵＳＢケーブルの接続カウンタとして用いた場合の構成を示している。
この場合は、ケーブル接続カウンタ１の一方にＵＳＢケーブル６を介して検査装置２を接続し、もう一方にＵＳＢケーブル（交換対象の「検査用治具ケーブル」に相当する）７を介して検査装置２によって検査される被接続対象（検査対象）であるＵＳＢ機器８を接続している。
検査装置２はＵＳＢケーブル６，７を介してＵＳＢ機器８を検査し、ケーブル接続カウンタ１は、ＵＳＢケーブル７の信号間のインピーダンス値を測定し、被接続対象であるＵＳＢ機器８との接続により発生するインピーダンス値の変化を検知して接続回数をカウントし、表示部１００に表示する。
【００１２】
上述の構成例では、検査装置２とケーブル接続カウンタ１とがケーブルで接続されて別体の場合の構成例を示しているが、検査装置２の本体側にケーブル接続カウンタ１を組み込んでケーブルが無い構成でも良い。
また、電源ケーブル、ＵＳＢケーブルについて示したが、ケーブルの接続状態と未接続状態でインピーダンス値が変化するものであれば、いかなるケーブル又は接続対象でも適用することができる。
【００１３】
図３は実施例１のケーブル接続カウンタ１の内部構成を示す図である。
このケーブル接続カウンタ１は、液晶表示装置（ＬＣＤ）を含む表示部１００と、１チップマイコンを含む制御部１０１と、ＦＲＯＭ、ＳＲＡＭを含むメモリ手段から構成される記憶部１０２と、ケーブル信号間のインピーダンス値を測定するインピーダンス測定部１０３と、ケーブル接続前状態のインピーダンス値を記憶部１０２に記憶させるモーメンタリタイプのセットスイッチ（ＳＷ）１０４と、それら回路の電源となる水銀電池を含む電源１０５と、ケーブル接続回数をカウントする電源ケーブル４又はＵＳＢケーブル７を接続するケーブルコネクタ（ＣＮ）１０６と、検査装置２側からの電源ケーブル３又はＵＳＢケーブル６を接続するケーブルコネクタ１０７と、その各ケーブルコネクタ１０６と１０７間を中継する中継ケーブル１０８とから構成され、中継ケーブル１０８とインピーダンス測定部１０３とは、電源ケーブル４又はＵＳＢケーブル７のケーブル信号間のインピーダンス値を測定するように接続されている。
【００１４】
すなわち、インピーダンス測定部１０３が被接続対象と接続するケーブルの信号間のインピーダンスを測定するインピーダンス測定手段に相当し、制御部１０１、記憶部１０２がインピーダンス測定手段によって測定したインピーダンスが変化したときに被接続対象に対するケーブルの接続回数としてカウントするカウント手段の機能を果たす。
【００１５】
図４は、ケーブルの接続前と接続後でインピーダンス値が変化する様子を示す波形図である。電源ケーブル４又はＵＳＢケーブル７がケーブル接続カウンタ１に接続される前にインピーダンス測定部１０３で測定されるインピーダンス値は、電源ケーブル４又はＵＳＢケーブル７が接続された以降は低下する。
例えば、ケーブル接続カウンタ１にＵＳＢケーブル７が接続される前、ＵＳＢケーブル７のＶＣＣ−ＧＮＤ間が５４０Ωであり、接続後は２４０Ωである場合、インピーダンス測定部１０３で測定されたインピーダンス値が４００Ω以下になったときに制御部１０１はＵＳＢケーブル７が接続状態であると判断してカウント値を１加算（インクリメント）する。
【００１６】
図５は、実施例１のケーブル接続カウンタ１の状態遷移図である。
ケーブル接続カウンタ１の状態は、次の（ａ）〜（ｃ）の各ステートに分けられる。
（ａ）スタンバイ（Ｓｔａｎｄｂｙ）ステート：ケーブル未接続状態のアイドルステート
（ｂ）コンフィギュレーション（Ｃｏｎｆｉｇ）ステート：ケーブル接続、未接続状態のインピーダンスを測定し、しきい値を算出するステート
（ｃ）コネクト（Ｃｏｎｎｅｃｔ）ステート：接続対象とカウンタ接続部がケーブルを通じて接続状態であることを示すステート
【００１７】
次に、実施例１のケーブル接続カウンタ１の状態遷移について説明する。
ステップ（図中「Ｓ」で示す）１は、Ｓｔａｎｄｂｙステートにて、ユーザ操作によりセットＳＷ１０４が押されると、制御部１０１は、表示部１００のカウンタと、記憶部１０２内に展開されるコンフィギュレーションフラグ：Ｃｏｎｆｄｏｎｅを０にリセットし、インピーダンス測定部１０３が測定する未接続状態のインピーダンス値を記憶部１０２に記憶し、Ｃｏｎｆｉｇステートへ遷移する。
【００１８】
ステップ２は、Ｃｏｎｆｉｇステートにて、ユーザ操作により接続対象とケーブル接続カウンタ１をケーブル接続した状態でセットＳＷ１０４が押されると、制御部１０１は、インピーダンス測定部１０３によって測定した接続状態のインピーダンス値を記憶部１０２に記憶し、接続時、インピーダンス測定部１０３によって測定した接続状態のインピーダンス値と未接続状態のインピーダンス値との差からしきい値を演算し、記憶部１０２に記憶させ、コンフィギュレーションステートを完了し、Ｓｔａｎｄｂｙステートへ遷移する。
【００１９】
＜しきい値算出例＞
例えば、未接続時：５００Ω、接続時：４００Ωの場合、接続のしきい値＝（５００−４００）／２＋４００＝４５０Ωとなる。
また、ケーブルの接続の検出は、記憶された接続前のインピーダンス値から数Ωから数十Ω減ったことによって検出できる。または、記憶された接続後のインピーダンス付近となったことでも検出できる。
【００２０】
ステップ３は、Ｓｔａｎｄｂｙステートでコンフィギュレーション完了時、制御部１０１は、しきい値を下回るインピーダンス値の立ち下がりを検知すると、表示部１００のカウンタを１インクリメントし、Ｃｏｎｎｅｃｔステートへ遷移する。
ステップ４は、Ｃｏｎｎｅｃｔステートにて、制御部１０１は、しきい値を超えるインピーダンス値の立ち上がりを検知すると、ケーブルが未接続状態となったと判断し、Ｓｔａｎｄｂｙステートへ遷移する。
このようにして、ケーブル接続時、未接続時のインピーダンス値の変動を接続回数としてカウントすることにより、ケーブルについての厳密な接続回数の管理を行うことが可能になる。
【００２１】
したがって、機械式カウンタのような物理的な機構を要することなく、ケーブルの接続回数をカウントすることができる。
この実施例１では、被接続対象とのケーブル接続により、接続カウンタが測定するインピーダンス値が低くなることを利用して接続回数をカウントする場合を説明したが、接続状態から未接続状態にする場合、つまりインピーダンス値が高くなることを利用して接続回数をカウントするようにしても良い。
【００２２】
実施例１のケーブル接続カウンタによれば、ケーブルと被接続対象との接続回数をカウント出来るので、厳密に接続回数を管理することができる。
また、ケーブル接続時に生じるケーブルの信号間のインピーダンス値の変化を接続回数としてカウントするので、機械式カウンタとは違い、ケーブル接続時にインピーダンス値の変化を生じるケーブル接続対象で有ればいかなるケーブル接続でもカウントすることが可能になる。
【００２３】
〔実施例２〕
実施例２のケーブル接続カウンタでは、実施例１のケーブル接続カウンタにおいて、インピーダンス値の変化を、被接続対象に対するケーブルの未接続時のインピーダンスと接続時のインピーダンスとの差によって検出するものである。
【００２４】
〔実施例３〕
上述のケーブル接続カウンタにおいて、ケーブル接続時、測定対象によってはインピーダンス値が変動して、誤カウントする恐れがある。
図６は、ケーブル接続時のインピーダンス変動の一例を示す波形図である。
この例では、ケーブル接続によるインピーダンス値の変動により、図中ａ，ｂで示すように、２回のインピーダンス値の立ち下がりがある為、１回の接続に対して１回余計にカウントしてしまう。
そこで、インピーダンス値の測定において、積分処理を行ってケーブル接続時の過渡的なインピーダンス値の変動をカウントしないようにするとよい。
すなわち、制御部１０１が、インピーダンスの測定において積分処理を行ってケーブルが被接続対象に接続された時の過渡的なインピーダンスの変化では被接続対象に対するケーブルの接続回数としてカウントしないようにする手段の機能を果たすようにする。
【００２５】
次に、実施例３のケーブル接続カウンタ１の状態遷移について説明する。
図７は、実施例３のケーブル接続カウンタ１の状態遷移図である。
ステップ（図中「Ｓ」で示す）１１は、Ｓｔａｎｄｂｙステートにて、ユーザ操作によりセットＳＷ１０４が押されると、制御部１０１は、表示部１００のカウンタと、記憶部１０２内に展開されるコンフィギュレーションフラグ：Ｃｏｎｆｄｏｎｅを０にリセットし、インピーダンス測定部１０３が測定する未接続状態のインピーダンス値を記憶部１０２に記憶し、Ｃｏｎｆｉｇステートへ遷移する。
【００２６】
ステップ１２は、Ｃｏｎｆｉｇステートにて、ユーザ操作により接続対象とケーブル接続カウンタ１をケーブル接続した状態でセットＳＷ１０４が押されると、制御部１０１は、接続状態のインピーダンス値を記憶部１０２に記憶し、接続時、インピーダンス測定部１０３によって測定した接続状態のインピーダンス値と未接続状態のインピーダンス値との差からしきい値を演算し、記憶部１０２に記憶させ、コンフィギュレーションステートを完了し、Ｓｔａｎｄｂｙステートへ遷移する。
【００２７】
＜しきい値算出例＞
例えば、未接続時：５００Ω、接続時：４００Ωの場合、接続のしきい値＝（５００−４００）／２＋４００＝４５０Ωとなる。
また、ケーブルの接続の検出は、記憶された接続前のインピーダンス値から数Ωから数十Ω減ったことによって検出できる。または、記憶された接続後のインピーダンス付近となったことでも検出できる。
【００２８】
ステップ１３は、Ｓｔａｎｄｂｙステートでコンフィギュレーション完了時、制御部１０１は、しきい値を下回るインピーダンス値を、予め記憶部１０２に設定された時間以上測定した時、表示部１００のカウンタを１インクリメントし、Ｃｏｎｎｅｃｔステートへ遷移する。
ステップ１４は、Ｃｏｎｎｅｃｔステートにて、制御部１０１は、しきい値を超えるインピーダンス値を予め記憶部１０２に設定された時間以上測定した場合、ケーブルが未接続状態となったと判断し、Ｓｔａｎｄｂｙステートへ遷移する。
このように、ケーブル装着時、抜いた時に発生するインピーダンス値の変動を制御部１０１の積分処理により排除するので、誤カウントを無くすことができる。
【００２９】
なお、実施例３では、制御部１０１による積分処理によって実施する例を示したが、インピーダンス測定部の測定応答速度を遅くして、過渡的なインピーダンス値の変動に反応しないような構成にしても良い。
実施例２のケーブル接続カウンタによれば、ケーブル接続、未接続の瞬間に発生する過渡的なインピーダンス変動による、誤カウントを無くすことができる。
【００３０】
〔実施例４〕
上述のケーブル接続カウンタにおいて、ケーブルの接続状態にて電源オン、あるいは電源オフが行われると、接続対象によってはインピーダンス値が変動する為、その際のインピーダンス値の変動を誤カウントする恐れがある。
そこで、インピーダンス値の測定信号の電圧測定手段を設け、その測定信号に基づいて電源オン、電源オフ時のインピーダンス値の変動をカウントしないようにするとよい。
図８は実施例４のケーブル接続カウンタ１の内部構成を示す図であり、図３と共通する部分には同一符号を付している。
【００３１】
このケーブル接続カウンタ１は、インピーダンスの測定信号の電圧を測定する電圧測定部１０９を有し、制御部１０１が電圧測定部１０９によって測定した電圧に基づいてケーブル接続対象の電源オンと電源オフ時に発生するインピーダンス値の変動をカウントしないように制御する。
すなわち、電圧測定部１０９が、インピーダンスの信号電圧を測定する電圧測定手段の機能を果たし、制御部１０１が、電圧測定手段によって測定した電圧に基づいて被接続対象の電源がオフであることを確認した場合にのみ被接続対象に対するケーブルの接続回数としてカウントする手段の機能を果たすようにする。
【００３２】
次に、実施例４のケーブル接続カウンタ１の状態遷移について説明する。
図９は、実施例４のケーブル接続カウンタ１の状態遷移図である。
ステップ（図中「Ｓ」で示す）２１は、Ｓｔａｎｄｂｙステートにて、ユーザ操作によりセットＳＷ１０４が押されると、制御部１０１は、表示部１００のカウンタと、記憶部１０２内に展開されるコンフィギュレーションフラグ：Ｃｏｎｆｄｏｎｅを０にリセットし、インピーダンス測定部１０３が測定する未接続状態のインピーダンス値を記憶部１０２に記憶し、Ｃｏｎｆｉｇステートへ遷移する。
【００３３】
ステップ２２は、Ｃｏｎｆｉｇステートにて、ユーザ操作により接続対象とケーブル接続カウンタ１をケーブル接続した状態でセットＳＷ１０４が押されると、制御部１０１は、接続状態のインピーダンス値を記憶部１０２に記憶し、接続時、接続状態のインピーダンス値と未接続状態のインピーダンス値との差からしきい値を演算し、記憶部１０２に記憶させ、コンフィギュレーションステートを完了し、Ｓｔａｎｄｂｙステートへ遷移する。
【００３４】
＜しきい値算出例＞
例えば、未接続時：５００Ω、接続時：４００Ωの場合、接続のしきい値＝（５００−４００）／２＋４００＝４５０Ωとなる。
また、ケーブルの接続の検出は、記憶された接続前のインピーダンス値から数Ωから数十Ω減ったことによって検出できる。または、記憶された接続後のインピーダンス付近となったことでも検出できる。
【００３５】
ステップ２３は、Ｓｔａｎｄｂｙステートでコンフィギュレーション完了時、制御部１０１は、しきい値を下回るインピーダンス値を、予め記憶部１０２に設定された時間以上測定し、且つ電圧測定部１０９で測定された電圧がオフレベルであった場合、表示部１００のカウンタを１インクリメントし、Ｃｏｎｎｅｃｔステートへ遷移する。
ステップ２４は、Ｃｏｎｎｅｃｔステートにて、制御部１０１は、しきい値を超えるインピーダンス値を予め記憶部１０２に設定し、且つ電圧測定部１０９で測定された電圧がオフレベルであった場合、ケーブルが未接続状態となったと判断し、Ｓｔａｎｄｂｙステートへ遷移する。
このようにして、ケーブル信号間の電圧レベルを電圧測定部１０９で測定し、その電圧レベルがオフ状態の時にのみ、状態遷移を行わせることにより、検査装置２、接続側の機器５又はＵＳＢ機器８の電源のオンとオフの際発生する過渡的なインピーダンス値の変動による誤カウントを無くすことができる。
【００３６】
〔実施例５〕
ケーブル交換が必要な回数もユーザが把握できるようにすると便利である。
そこで、ケーブル接続カウンタにおいて、ケーブル交換の上限カウンタ値も表示する。
図１０は、この発明の実施例５のケーブル接続カウンタを含むシステム構成を示すブロック図である。
この場合は、ケーブル接続カウンタ１の一方に電源ケーブル３を介して検査装置２のパワーサプライユニット（ＰＳＵ）２ａを接続し、もう一方に電源ケーブル４を介して検査装置２によって検査される被接続対象（検査対象）である機器５を接続している。
【００３７】
ＰＳＵ２ａはＡＣ電圧をＤＣに変換して供給するユニットであり、検査装置２は電源ケーブル３，４を介してＰＳＵ２ａの直流電圧を機器５に供給して機器５を検査し、ケーブル接続カウンタ１は、電源ケーブル４の信号間のインピーダンス値を測定し、被接続対象である機器５との接続により発生するインピーダンス値の変化を検知して接続回数をカウントし、表示部１００に接続回数のカウント値と共にケーブル交換が必要な回数（「上限値」）を表示する。
【００３８】
図１１は実施例５のケーブル接続カウンタ１の内部構成を示す図であり、図３及び図８と共通する部分には同一符号を付している。
このケーブル接続カウンタ１は、新たにモーメンタリタイプのリミットＳＷ１１０を設けており、そのリミットＳＷ１１０の操作で制御部１０１の上限カウンタ（ｌｉｍｉｔカウンタ）に上限値を設定する。制御部１０１は、インピーダンス測定部１０３で測定したインピーダンス値の変化を検知し、その検知のたびにＣｕｒｒカウンタのカウント値を１インクリメントする。また、その際、ケーブルが被接続対象に接続された時の過渡的なインピーダンスの変化ではカウントしないようにしたり、電源オン、電源オフ時のインピーダンス値の変動をカウントしないようにしたりする。
【００３９】
そして、制御部１０１は、表示部１００に、Ｃｕｒｒカウンタのカウント値、すなわち、現在のケーブル接続回数と、ユーザによって設定されたｌｉｍｉｔカウンタのカウント値、すなわち、ケーブル交換時期の上限カウンタ値（回数）を表示させる。
すなわち、表示部１００と制御部１０１が、接続回数の上限値を表示する手段の機能を果たす。
【００４０】
図１２は、実施例５のケーブル接続カウンタ１の状態遷移図である。
このケーブル接続カウンタ１の状態は次の（ａ）〜（ｄ）の各ステートに分けられる。
（ａ）スタンバイ（Ｓｔａｎｄｂｙ）ステート：ケーブル未接続状態のアイドルステート
（ｂ）コンフィギュレーション（Ｃｏｎｆｉｇ）ステート：ケーブル接続、未接続状態のインピーダンスを測定し、しきい値を算出するステート
（ｃ）コネクト（Ｃｏｎｎｅｃｔ）ステート：接続対象とカウンタ接続部がケーブルを通じて接続状態であることを示すステート
（ｄ）リミットスイッチオン（Ｌｉｍｉｔ  ｓｗ  ｏｎ）ステート：ケーブルの交換時期を示す上限値（リミット回数）を設定するステートであり、リミットＳＷがＯＮ状態の間は、ｌｉｍｉｔカウンタ値がインクリメントされる。
【００４１】
次に、実施例５のケーブル接続カウンタ１の状態遷移について説明する。
ステップ（図中「Ｓ」で示す）３１は、Ｓｔａｎｄｂｙステートにて、ユーザ操作によりセットＳＷ１０４が押されると、制御部１０１は、表示部１００のＣｕｒｒカウンタとＬｉｍｉｔカウンタと、記憶部１０２内に展開されるコンフィギュレーションフラグ：Ｃｏｎｆｄｏｎｅを０にリセットし、インピーダンス測定部１０３が測定する未接続状態のインピーダンス値を記憶部１０２に記憶し、Ｃｏｎｆｉｇステートへ遷移する。
【００４２】
ステップ３２は、Ｃｏｎｆｉｇステートにて、ユーザ操作により接続対象とケーブル接続カウンタ１をケーブル接続した状態でセットＳＷ１０４が押されると、制御部１０１は、インピーダンス測定部１０３によって測定した接続状態のインピーダンス値を記憶部１０２に記憶し、接続時、インピーダンス測定部１０３によって測定した接続状態のインピーダンス値と未接続状態のインピーダンス値との差からしきい値を演算し、記憶部１０２に記憶させ、コンフィギュレーションステートを完了し、Ｓｔａｎｄｂｙステートへ遷移する。
【００４３】
＜しきい値算出例＞
例えば、未接続時：５００Ω、接続時：４００Ωの場合、接続のしきい値＝（５００−４００）／２＋４００＝４５０Ωとなる。
また、ケーブルの接続の検出は、記憶された接続前のインピーダンス値から数Ωから数十Ω減ったことによって検出できる。または、記憶された接続後のインピーダンス付近となったことでも検出できる。
【００４４】
ステップ３３は、Ｓｔａｎｄｂｙステートでコンフィギュレーション完了時、制御部１０１は、しきい値を下回るインピーダンス値の立ち下がりを検知すると、表示部１００のＣｕｒｒカウンタを１インクリメントし、Ｃｏｎｎｅｃｔステートへ遷移する。
ステップ３４は、Ｃｏｎｎｅｃｔステートにて、制御部１０１は、しきい値を超えるインピーダンス値の立ち上がりを検知すると、ケーブルが未接続状態となったと判断し、Ｓｔａｎｄｂｙステートへ遷移する。
ステップ３５は、Ｓｔａｎｄｂｙステートにて、ユーザ操作によりリミットＳＷ１１０が押されると、Ｌｉｍｉｔ  ｓｗ  ｏｎステートへ遷移する。
【００４５】
ステップ３６は、Ｌｉｍｉｔ  ｓｗ  ｏｎステートにて、リミットＳＷ１１０がオン状態であるとき、制御部１０１は、表示部１００に表示されるｌｉｍｉｔカウンタのカウント値をインクリメントする。
ステップ３７は、Ｌｉｍｉｔ  ｓｗ  ｏｎステートで、制御部１０１がリミットＳＷ１１０のオフを検知すると、Ｓｔａｎｄｂｙステートへ遷移する。
このようにして、ケーブル接続カウンタ上に、ケーブルの交換時期を示す上限回数を表示することにより、交換が必要な回数をユーザが容易に確認して判別することができる。
【００４６】
〔実施例６〕
上述のケーブル接続カウンタでは、ユーザがカウンタ値を読みとる為、現在のカウント値が上限値を超えても気が付かないで交換されないことも想定される。
そこで、ブザーを含む警告手段を設け、ケーブルの接続回数が上限値（規定カウント値）に達した際、警告手段によって警告する（ブザーの場合は警告音を鳴らす）とよい。
図１３は実施例６のケーブル接続カウンタ１の内部構成を示す図であり、図３、図８及び図１１と共通する部分には同一符号を付している。
このケーブル接続カウンタ１は、新たにブザー１１１を設けており、制御部１０１は、ケーブル接続の現在のカウント値が上限値に達したときにブザー１１１を鳴らしてユーザに警告する。
すなわち、制御部１０１とブザー１１１が、カウント手段によってカウントされた接続回数が予め設定した規定値に達したときに警告する警告手段の機能を果たす。
【００４７】
図１４は、実施例６のケーブル接続カウンタ１の状態遷移図である。
このケーブル接続カウンタ１の状態は次の（ａ）〜（ｅ）の各ステートに分けられる。
（ａ）スタンバイ（Ｓｔａｎｄｂｙ）ステート：ケーブル未接続状態のアイドルステート
（ｂ）コンフィギュレーション（Ｃｏｎｆｉｇ）ステート：ケーブル接続、未接続状態のインピーダンスを測定し、しきい値を算出するステート
（ｃ）コネクト（Ｃｏｎｎｅｃｔ）ステート：接続対象とカウンタ接続部がケーブルを通じて接続状態であることを示すステート
（ｄ）リミットスイッチオン（Ｌｉｍｉｔ  ｓｗ  ｏｎ）ステート：ケーブルの交換時期を示す上限値（リミット回数）を設定するステートであり、リミットＳＷがＯＮ状態の間は、ｌｉｍｉｔカウンタ値がインクリメントされる
（ｅ）ワーニング（Ｗａｒｎｉｎｇ）ステート：ブザー（警告音）を鳴らすステート
【００４８】
次に、実施例６のケーブル接続カウンタ１の状態遷移について説明する。
ステップ（図中「Ｓ」で示す）４１は、Ｓｔａｎｄｂｙステートにて、ユーザ操作によりセットＳＷ１０４が押されると、制御部１０１は、表示部１００のＣｕｒｒカウンタとＬｉｍｉｔカウンタと、記憶部１０２内に展開されるコンフィギュレーションフラグ：Ｃｏｎｆｄｏｎｅを０にリセットし、インピーダンス測定部１０３が測定する未接続状態のインピーダンス値を記憶部１０２に記憶し、Ｃｏｎｆｉｇステートへ遷移する。
ステップ４２は、Ｃｏｎｆｉｇステートにて、ユーザ操作により接続対象とケーブル接続カウンタ１をケーブル接続した状態でセットＳＷ１０４が押されると、制御部１０１は、インピーダンス測定部１０３によって測定した接続状態のインピーダンス値を記憶部１０２に記憶し、接続時、インピーダンス測定部１０３によって測定した接続状態のインピーダンス値と未接続状態のインピーダンス値との差からしきい値を演算し、記憶部１０２に記憶させ、コンフィギュレーションステートを完了し、Ｓｔａｎｄｂｙステートへ遷移する。
【００４９】
＜しきい値算出例＞
例えば、未接続時：５００Ω、接続時：４００Ωの場合、接続のしきい値＝（５００−４００）／２＋４００＝４５０Ωとなる。
また、ケーブルの接続の検出は、記憶された接続前のインピーダンス値から数Ωから数十Ω減ったことによって検出できる。または、記憶された接続後のインピーダンス付近となったことでも検出できる。
【００５０】
ステップ４３は、Ｓｔａｎｄｂｙステートでコンフィギュレーション完了時、制御部１０１は、しきい値を下回るインピーダンス値の立ち下がりを検知すると、表示部１００のＣｕｒｒカウンタを１インクリメントし、Ｃｏｎｎｅｃｔステートへ遷移する。
ステップ４４は、Ｃｏｎｎｅｃｔステートにて、制御部１０１は、しきい値を超えるインピーダンス値の立ち上がりを検知すると、ケーブルが未接続状態となったと判断し、Ｓｔａｎｄｂｙステートへ遷移する。
ステップ４５は、Ｓｔａｎｄｂｙステートにて、ユーザ操作によりリミットＳＷ１１０が押されると、Ｌｉｍｉｔ  ｓｗ  ｏｎステートへ遷移する。
ステップ４６は、Ｌｉｍｉｔ  ｓｗ  ｏｎステートにて、リミットＳＷ１１０がオン状態であるとき、制御部１０１は、表示部１００に表示されるｌｉｍｉｔカウンタのカウント値をインクリメントする。
【００５１】
ステップ４７は、Ｌｉｍｉｔ  ｓｗ  ｏｎステートで、制御部１０１がリミットＳＷ１１０のオフを検知すると、Ｓｔａｎｄｂｙステートへ遷移する。
ステップ４８は、Ｓｔａｎｄｂｙステートにて、Ｃｕｒｒカウンタ＝Ｌｉｍｉｔカウンタの条件の時、制御部１０１は、ブザー１１１を鳴らし、Ｗａｒｎｉｎｇステートへ遷移し、ユーザへケーブルの交換を促す。
ステップ４９は、Ｗａｒｎｉｎｇステートにて、ユーザがセットＳＷ１０４を１回押すと、制御部１０１はセットＳＷ１０４のオンを検知して、ブザー１１１への出力をオフし、Ｓｔａｎｄｂｙステートへ戻る。
このようにして、ケーブルの接続回数が予めユーザによって設定された上限値に達したとき、ブザーによって通知するので、ユーザへ交換を確実に促すことができる。
【００５２】
〔実施例７〕
次に、ケーブルの接続対象の検査を行う検査装置２側で、機器の検査と一括してケーブルの接続回数を管理するようにしてもよい。
図１５は、この発明の実施例７のケーブル接続カウントシステムの構成を示すブロック図である。
このケーブル接続カウントシステムは、ケーブル接続カウンタ１と検査装置２００と検査対象機器２２０とからなる。
ケーブル接続カウンタ１は、実施例５に示したケーブル接続カウンタに新たに通信制御部１１２を設けている。また、検査装置２００は、制御部２０１と治具回路２０２と表示部２０３からなり、制御部２０１はＣＰＵ，ＲＯＭ及びＲＡＭからなるマイクロコンピュータによって実現され、管理プログラムの実行によって実現される管理部２０４と、検査プログラムの実行によって実現される検査部２０５を備えている。
【００５３】
ケーブル接続カウンタ１の通信制御部１１２と検査装置２００の管理部２０４とは通信ケーブル２１３を介して通信可能に接続されている。
また、検査装置２００の治具回路２０２は、ケーブル２１０のケーブルコネクタ（ＣＮ）２１１をケーブル接続カウンタ１のケーブルコネクタ１０７と接続し、ケーブル２２１はケーブルコネクタ２２２を検査対象機器２２０に接続し、ケーブルコネクタ２２３をケーブル接続カウンタ１のケーブルコネクタ１０６に接続することによって、ケーブル接続カウンタ１と検査対象機器２２０を接続している。さらに、ケーブル２１２を介して検査装置２００の治具回路２０２と検査対象機器２２０が直接接続されている。
【００５４】
管理部２０４は、ケーブル接続カウンタ１から通信を通じてカウント値を取得して管理し、表示部２０３にカウント値を表示する。検査部２０５は、治具回路２０２を制御して検査接続対象機器２２０の検査を行う。治具回路２０２は、検査部２０５からの指示に基づいて検査接続対象機器２２０の検査を行う。
すなわち、このケーブル接続カウントシステムは、上述のようなカウント装置と検査装置とからなるカウントシステムであって、制御部１０１と通信制御部１１２が、カウント手段によってカウントした接続回数を通信線を介して検査装置へ送信する通信制御手段の機能を果たし、管理部２０４が上記通信線を介してカウント装置から送信された接続回数を取得して管理する管理手段の機能を果たす。
【００５５】
図１６は、実施例７のケーブル接続カウンタ１の状態遷移図である。
このケーブル接続カウンタ１の状態は次の（ａ）〜（ｄ）（ｆ）の各ステートに分けられる。
（ａ）スタンバイ（Ｓｔａｎｄｂｙ）ステート：ケーブル未接続状態のアイドルステート
（ｂ）コンフィギュレーション（Ｃｏｎｆｉｇ）ステート：ケーブル接続、未接続状態のインピーダンスを測定し、しきい値を算出するステート
（ｃ）コネクト（Ｃｏｎｎｅｃｔ）ステート：接続対象とカウンタ接続部がケーブルを通じて接続状態であることを示すステート
（ｄ）リミットスイッチオン（Ｌｉｍｉｔ  ｓｗ  ｏｎ）ステート：ケーブルの交換時期を示す上限値（リミット回数）を設定するステートであり、リミットＳＷがＯＮ状態の間は、ｌｉｍｉｔカウンタ値がインクリメントされる
（ｆ）コミュニケート（Ｃｏｍｍｕｎｉｃａｔｅ）ステート：ケーブル接続カウンタの外部と通信制御部１１２を通じて、検査装置２００の制御部２０１と通信を行うステート
【００５６】
次に、実施例７のケーブル接続カウンタ１の状態遷移について説明する。
ステップ（図中「Ｓ」で示す）５１は、Ｓｔａｎｄｂｙステートにて、ユーザ操作によりセットＳＷ１０４が押されると、制御部１０１は、表示部１００のＣｕｒｒカウンタとＬｉｍｉｔカウンタと、記憶部１０２内に展開されるコンフィギュレーションフラグ：Ｃｏｎｆｄｏｎｅを０にリセットし、インピーダンス測定部１０３が測定する未接続状態のインピーダンス値を記憶部１０２に記憶し、Ｃｏｎｆｉｇステートへ遷移する。
【００５７】
ステップ５２は、Ｃｏｎｆｉｇステートにて、ユーザ操作により接続対象とケーブル接続カウンタ１をケーブル接続した状態でセットＳＷ１０４が押されると、制御部１０１は、インピーダンス測定部１０３によって測定した接続状態のインピーダンス値を記憶部１０２に記憶し、接続時、インピーダンス測定部１０３によって測定した接続状態のインピーダンス値と未接続状態のインピーダンス値との差からしきい値を演算し、記憶部１０２に記憶させ、コンフィギュレーションステートを完了し、Ｓｔａｎｄｂｙステートへ遷移する。
【００５８】
＜しきい値算出例＞
例えば、未接続時：５００Ω、接続時：４００Ωの場合、接続のしきい値＝（５００−４００）／２＋４００＝４５０Ωとなる。
また、ケーブルの接続の検出は、記憶された接続前のインピーダンス値から数Ωから数十Ω減ったことによって検出できる。または、記憶された接続後のインピーダンス付近となったことでも検出できる。
【００５９】
ステップ５３は、Ｓｔａｎｄｂｙステートでコンフィギュレーション完了時、制御部１０１は、しきい値を下回るインピーダンス値の立ち下がりを検知すると、表示部１００のＣｕｒｒカウンタを１インクリメントし、Ｃｏｎｎｅｃｔステートへ遷移する。
ステップ５４は、Ｃｏｎｎｅｃｔステートにて、制御部１０１は、しきい値を超えるインピーダンス値の立ち上がりを検知すると、ケーブルが未接続状態となったと判断し、Ｓｔａｎｄｂｙステートへ遷移する。
ステップ５５は、Ｓｔａｎｄｂｙステートにて、ユーザ操作によりリミットＳＷ１１０が押されると、Ｌｉｍｉｔ  ｓｗ  ｏｎステートへ遷移する。
ステップ５６は、Ｌｉｍｉｔ  ｓｗ  ｏｎステートにて、リミットＳＷ１１０がオン状態であるとき、制御部１０１は、表示部１００に表示されるｌｉｍｉｔカウンタのカウント値をインクリメントする。
【００６０】
ステップ５７は、Ｌｉｍｉｔ  ｓｗ  ｏｎステートで、制御部１０１がリミットＳＷ１１０のオフを検知すると、Ｓｔａｎｄｂｙステートへ遷移する。
ステップ５８は、制御部１０１が通信制御部１１２を通じて検査装置２００の制御部２０１からのステータスリード要求を検知した際、Ｃｏｍｍｕｎｉｃａｔｉｏｎステートへ遷移する。
ステップ５９は、Ｃｏｍｍｕｎｉｃａｔｉｏｎステートで、制御部１０１はＣｕｒｒカウンタ、Ｌｉｍｉｔカウンタの各カウント値をステータス情報として通信制御部１１２を通じて検査装置２００の制御部２０１へ出力した後、Ｓｔａｎｄｂｙステートへ戻る。
検査装置２００では、管理部２０４がケーブル接続カウンタ１から受信したケーブル接続の現在のカウント値（現在の接続回数）と、ユーザによって設定されたカウント値（上限値）を記憶して管理する。
【００６１】
図１７は、図１５の管理部２０４の処理を示すフローチャート図である。
管理部２０４は、ステップ（図中「Ｓ」で示す）６１で検査部からケーブル接続カウンタのステータス（Ｓｔａｔｕｓ）リード要求を受けると、ステップ６２でケーブル接続カウンタと通信を行い、ＣｕｒｒカウンタとＬｉｍｔカウンタの各カウンタ値をリードして取得する。
ステップ６３でＣｕｒｒカウンタのカウンタ値がＬｉｍｉｔカウンタのカウンタ値以上か否かを判断し、Ｃｕｒｒカウンタのカウンタ値がＬｉｍｉｔカウンタのカウンタ値以上なら、ステップ６４で表示部にユーザにケーブルの交換を促すメッセージダイアログを表示させ、この処理を終了する。
【００６２】
このようにして、検査装置の制御部側で、ケーブルの接続回数を管理し、ケーブルの接続回数が予め設定した上限回数（交換サイクル）に達したら、検査装置にて自動的にユーザに交換を促すことができるので、ユーザがケーブル接続カウンタに表示される接続回数を見落としても交換時期を容易に知ることができる。
【００６３】
〔実施例８〕
次に、ケーブル接続カウンタを使用した検査システムを構成する場合、ケーブル接続カウンタが複数ある場合、検査装置の制御部側で、ケーブルの品種、接続回数を厳密に管理したい場合がある。
図１８は、この発明の実施例８のケーブル接続カウントシステムの構成を示すブロック図であり、図１５と共通する部分には同一符号を付している。
このケーブル接続カウントシステムは、ケーブル接続カウンタ１に、ロータリＳＷを含む識別手段であるＩＤ部１１３を設けており、そのＩＤ部１１３は、ワイヤレス（例えば、無線通信や赤外線通信）で管理部２０４へ各ケーブル接続カウンタに割り当てられた識別情報（ＩＤ）を送信する。一方、管理部２０４はＩＤ部１１３からワイヤレスでＩＤを受信して取得するとそのＩＤと通信回線を介して取得したカウント値と共に記憶して管理する。
【００６４】
ケーブル接続カウンタ１の状態遷移は、実施例７における状態遷移とほぼ同じであり、Ｃｏｍｍｕｎｉｃａｔｅステートにて検査装置２００の制御部２０１側が取得する情報にＩＤ部１１３の情報も含まれる。ＩＤ部１１３のＩＤは、例えば、０〜１０のロータリＳＷで切り替わる識別情報である。
すなわち、このケーブル接続カウントシステムは、上述のようなカウント装置と検査装置とからなるカウントシステムであって、ＩＤ部１１３が、カウント手段によってカウントした接続回数をワイヤレス通信によって検査装置へ送信する通信制御手段の機能を果たし、検査装置２００の検査部２０５が、ワイヤレス通信によってカウント装置から送信された接続回数を取得して管理する管理手段の機能を果たす。
【００６５】
図１９は、図１８の管理部２０４の処理を示すフローチャート図である。
管理部２０４は、ステップ（図中「Ｓ」で示す）７１で検査部からケーブル接続カウンタのステータス（Ｓｔａｔｕｓ）リード要求を受けると、ステップ７２で複数のケーブル接続カウンタと通信を行い、各ケーブル接続カウンタからＩＤ部を介してＩＤを、各ＣｕｒｒカウンタとＬｉｍｔカウンタの各カウンタ値をそれぞれリードして取得する。
ステップ７３でＣｕｒｒカウンタのカウンタ値がＬｉｍｉｔカウンタのカウンタ値以上か否かを判断し、Ｃｕｒｒカウンタのカウンタ値がＬｉｍｉｔカウンタのカウンタ値以上なら、ステップ７４で表示部にユーザにケーブルの交換を促すメッセージダイアログを表示させ、この処理を終了する。
このようにして、複数のケーブル接続カウンタにそれぞれＩＤを付与することにより、検査装置２００の制御部２０１において各ケーブル接続カウンタ毎のカウント値、検査結果を１対１で管理することができる。
【００６６】
〔実施例９〕
次に、複数の検査装置のケーブルを複数一括で管理する場合、ケーブル接続カウンタ毎に通信ラインが必要となる。
そこで、ワイヤレス通信手段としてＲＦＩＤタグ部１１４を使用することによって検査装置２００と接続する通信ケーブルを不要にすると良い。
図２０は、この発明の実施例９のケーブル接続カウントシステムの構成を示すブロック図であり、図１５及び図１８と共通する部分には同一符号を付している。
このケーブル接続カウントシステムは、ケーブル接続カウンタ１にＲＦＩＤタグ部１１４を実装しており、そのＲＦＩＤタグ部１１４は各ケーブル接続カウンタに割り当てられた識別情報（ＩＤ）とカウント値とをワイヤレスで送信する。
【００６７】
一方、検査装置２００にはＲＦＩＤリーダライタ２０６を設けており、そのＲＦＩＤリーダライタ２０６は、ＲＦＩＤタグ部１１４からＩＤとカウント値とを取得して管理部２０４へ送る。そして、管理部２０４は、ＲＦＩＤリーダライタ２０６から送られたＩＤとカウント値とを記憶して複数あるケーブル接続カウンタ毎に管理する。
すなわち、管理部２０４は、カウント装置から送信された接続回数にカウント装置の識別情報を対応させて管理する手段の機能を果たす。
【００６８】
図２１は、実施例９のケーブル接続カウンタ１の状態遷移図である。
このケーブル接続カウンタ１の状態は次の（ａ）〜（ｄ）の各ステートに分けられる。
（ａ）スタンバイ（Ｓｔａｎｄｂｙ）ステート：ケーブル未接続状態のアイドルステート
（ｂ）コンフィギュレーション（Ｃｏｎｆｉｇ）ステート：ケーブル接続、未接続状態のインピーダンスを測定し、しきい値を算出するステート
（ｃ）コネクト（Ｃｏｎｎｅｃｔ）ステート：接続対象とカウンタ接続部がケーブルを通じて接続状態であることを示すステート
（ｄ）リミットスイッチオン（Ｌｉｍｉｔ  ｓｗ  ｏｎ）ステート：ケーブルの交換時期を示す上限値（リミット回数）を設定するステートであり、リミットＳＷがＯＮ状態の間は、ｌｉｍｉｔカウンタ値がインクリメントされる
【００６９】
次に、実施例９のケーブル接続カウンタ１の状態遷移について説明する。
ステップ（図中「Ｓ」で示す）８１は、Ｓｔａｎｄｂｙステートにて、ユーザ操作によりセットＳＷ１０４が押されると、制御部１０１は、表示部１００のＣｕｒｒカウンタとＬｉｍｉｔカウンタと、記憶部１０２内に展開されるコンフィギュレーションフラグ：Ｃｏｎｆｄｏｎｅを０にリセットし、ＲＦＩＤタグ部１１４にＣｕｒｒカウンタとＬｉｍｉｔカウンタの各カウント値を書き込み、インピーダンス測定部１０３が測定する未接続状態のインピーダンス値を記憶部１０２に記憶し、Ｃｏｎｆｉｇステートへ遷移する。
【００７０】
ステップ８２は、Ｃｏｎｆｉｇステートにて、ユーザ操作により接続対象とケーブル接続カウンタ１をケーブル接続した状態でセットＳＷ１０４が押されると、制御部１０１は、インピーダンス測定部１０３によって測定した接続状態のインピーダンス値を記憶部１０２に記憶し、接続時、インピーダンス測定部１０３によって測定した接続状態のインピーダンス値と未接続状態のインピーダンス値との差からしきい値を演算し、記憶部１０２に記憶させ、コンフィギュレーションステートを完了し、Ｓｔａｎｄｂｙステートへ遷移する。
【００７１】
＜しきい値算出例＞
例えば、未接続時：５００Ω、接続時：４００Ωの場合、接続のしきい値＝（５００−４００）／２＋４００＝４５０Ωとなる。
また、ケーブルの接続の検出は、記憶された接続前のインピーダンス値から数Ωから数十Ω減ったことによって検出できる。または、記憶された接続後のインピーダンス付近となったことでも検出できる。
【００７２】
ステップ８３は、Ｓｔａｎｄｂｙステートでコンフィギュレーション完了時、制御部１０１は、しきい値を下回るインピーダンス値の立ち下がりを検知すると、表示部１００のＣｕｒｒカウンタを１インクリメントし、ＲＦＩＤタグ部１１４にそのインクリメント後の値を書き込み、Ｃｏｎｎｅｃｔステートへ遷移する。
ステップ８４は、Ｃｏｎｎｅｃｔステートにて、制御部１０１は、しきい値を超えるインピーダンス値の立ち上がりを検知すると、ケーブルが未接続状態となったと判断し、Ｓｔａｎｄｂｙステートへ遷移する。
ステップ８５は、Ｓｔａｎｄｂｙステートにて、ユーザ操作によりリミットＳＷ１１０が押されると、Ｌｉｍｉｔ  ｓｗ  ｏｎステートへ遷移する。
【００７３】
ステップ８６は、Ｌｉｍｉｔ  ｓｗ  ｏｎステートにて、リミットＳＷ１１０がオン状態であるとき、制御部１０１は、表示部１００に表示されるｌｉｍｉｔカウンタのカウント値をインクリメントする。
ステップ８７は、Ｌｉｍｉｔ  ｓｗ  ｏｎステートで、制御部１０１がリミットＳＷ１１０のオフを検知すると、ＲＦＩＤ部１１４にＬｉｍｉｔカウンタのカウント値を書き込み、Ｓｔａｎｄｂｙステートへ遷移する。
【００７４】
図２２は、図２０の管理部２０４の処理を示すフローチャート図である。
管理部２０４は、ステップ（図中「Ｓ」で示す）９１で検査部からケーブル接続カウンタのステータス（Ｓｔａｔｕｓ）リード要求を受けると、ステップ９２でＲＦＩＤリーダライタによって複数のケーブル接続カウンタと通信を行い、各ケーブル接続カウンタからＲＦＩＤタグ部を介してＩＤを、各ＣｕｒｒカウンタとＬｉｍｔカウンタの各カウンタ値をそれぞれリードして取得する。
【００７５】
ステップ９３でＣｕｒｒカウンタのカウンタ値がＬｉｍｉｔカウンタのカウンタ値以上か否かを判断し、Ｃｕｒｒカウンタのカウンタ値がＬｉｍｉｔカウンタのカウンタ値以上の上限値に達しているケーブル接続カウンタがあったら、ステップ９４で表示部にどのケーブル接続カウンタに接続されたどのケーブルの交換を促すかをユーザに知らせるメッセージダイアログを表示させ、この処理を終了する。
このようにして、ケーブル接続カウンタ内のＲＦＩＤタグ部にＩＤ、ＣｕｒｒカウンタとＬｉｍｉｔカウンタの各カウント値を書き込むことにより、検査装置の制御部側からＲＦＩＤリーダライタを通じて非接触で複数台のケーブル接続カウンタ内の情報を取得できるので、複数の検査装置の接続ケーブルを一括で管理するような場合でも、通信ラインが増えることが無くなる。
また、ＲＦＩＤシステムを利用しているので、ケーブル接続カウンタ内のＲＦＩＤタグ内のＬｉｍｉｔカウント値等の情報の設定も可能である。
【産業上の利用可能性】
【００７６】
この発明によるカウント装置とカウントシステムは、デスクトップパソコン，ノートブックパソコン等のパーソナルコンピュータにおいても適用することができる。
【図面の簡単な説明】
【００７７】
【図１】この発明の実施例１のケーブル接続カウンタを含むシステム構成を示すブロック図である。
【図２】この発明の実施例１のケーブル接続カウンタを含む他のシステム構成を示すブロック図である。
【図３】この発明の実施例１のケーブル接続カウンタ１の内部構成を示す図である。
【図４】ケーブルの接続前と接続後でインピーダンス値が変化する様子を示す波形図である。
【００７８】
【図５】この発明の実施例１のケーブル接続カウンタ１の状態遷移図である。
【図６】ケーブル接続時のインピーダンス変動の一例を示す波形図である。
【図７】この発明の実施例３のケーブル接続カウンタ１の状態遷移図である。
【図８】この発明の実施例４のケーブル接続カウンタ１の内部構成を示す図である。
【図９】この発明の実施例４のケーブル接続カウンタ１の状態遷移図である。
【００７９】
【図１０】この発明の実施例５のケーブル接続カウンタを含むシステム構成を示すブロック図である。
【図１１】この発明の実施例５のケーブル接続カウンタ１の内部構成を示す図である。
【図１２】この発明の実施例５のケーブル接続カウンタ１の状態遷移図である。
【図１３】この発明の実施例６のケーブル接続カウンタ１の内部構成を示す図である。
【００８０】
【図１４】この発明の実施例６のケーブル接続カウンタ１の状態遷移図である。
【図１５】この発明の実施例７のケーブル接続カウントシステムの構成を示すブロック図である。
【図１６】この発明の実施例７のケーブル接続カウンタ１の状態遷移図である。
【図１７】図１５に示す管理部２０４の処理を示すフローチャート図である。
【図１８】この発明の実施例８のケーブル接続カウントシステムの構成を示すブロック図である。
【００８１】
【図１９】図１８に示す管理部２０４の処理を示すフローチャート図である。
【図２０】この発明の実施例９のケーブル接続カウントシステムの構成を示すブロック図である。
【図２１】この発明の実施例９のケーブル接続カウンタ１の状態遷移図である。
【図２２】図２０に示す管理部２０４の処理を示すフローチャート図である。
【符号の説明】
【００８２】
１：ケーブル接続カウンタ    ２，２００：検査装置    ２ａ：ＰＳＵ    ３，４：電源ケーブル    ５：機器    ６，７：ＵＳＢケーブル    ８：ＵＳＢ機器    １００，２０３：表示部    １０１，２０１：制御部    １０２：記憶部    １０３：インピーダンス測定部    １０４：セットＳＷ    １０５：電源    １０６，１０７，２１１，２２２，２２３：ケーブルコネクタ（ＣＮ）    １０８：中継ケーブル    １０９：電圧測定部    １１０：リミットＳＷ    １１１：ブザー    １１２：通信制御部    １１３：ＩＤ部    １１４：ＲＦＩＤタグ部    ２０２：治具回路    ２０４：管理部    ２０５：検査部    ２０６：ＲＦＩＤリーダライタ    ２１０，２１２，２２１：ケーブル    ２１３：通信ケーブル
【図１】
2007156957.tif 000003
【図２】
2007156957.tif 000004
【図３】
2007156957.tif 000005
【図４】
2007156957.tif 000006
【図５】
2007156957.tif 000007
【図６】
2007156957.tif 000008
【図７】
2007156957.tif 000009
【図８】
2007156957.tif 000010
【図９】
2007156957.tif 000011
【図１０】
2007156957.tif 000012
【図１１】
2007156957.tif 000013
【図１２】
2007156957.tif 000014
【図１３】
2007156957.tif 000015
【図１４】
2007156957.tif 000016
【図１５】
2007156957.tif 000017
【図１６】
2007156957.tif 000018
【図１７】
2007156957.tif 000019
【図１８】
2007156957.tif 000020
【図１９】
2007156957.tif 000021
【図２０】
2007156957.tif 000022
【図２１】
2007156957.tif 000023
【図２２】
2007156957.tif 000024